(57)【要約】本発明は鉱物油に対して洗浄力が強い鉱物油洗浄用組成物及び洗浄方法の提供を課題とする。本発明の一態様に係る鉱物油洗浄用組成物は、界面活性剤としての下記式（１）で表される化合物Ａ及び下記式（２）で表される化合物Ｂ並びに水を含有し、上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．３５以上０．８５以下であり、ｐＨが８．０超である。下記式（１）中、Ｒ１は炭素数１２以上１４以下のアルキル基である。Ｒ２、Ｒ３はそれぞれ独立して、水素原子又は炭素数１以上３以下のアルキル基である。窒素原子と酸素原子との間の矢印は配位結合を示す。式（２）中、Ｒ４は炭素数１２以上１４以下のアルキル基である。上記化合物Ａ及び上記化合物Ｂ以外の界面活性剤を含有しないとよい。アルカリ金属の水酸化物又は炭酸塩をさらに含有するとよい。2017047170.tif 000017
2017047170.tif 000002
【特許請求の範囲】
【請求項１】
界面活性剤としての下記式（１）で表される化合物Ａ及び下記式（２）で表される化合物Ｂ、並びに
水
を含有し、
上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．３５以上０．８５以下であり、
ｐＨが８．０超である鉱物油洗浄用組成物。
【化１】
2017047170.tif 000015
（式（１）中、Ｒ１は、炭素数１２以上１４以下のアルキル基である。Ｒ２及びＲ３は、それぞれ独立して、水素原子又は炭素数１以上３以下のアルキル基である。窒素原子と酸素原子との間の矢印は配位結合を示す。）
【化２】
2017047170.tif 000016
（式（２）中、Ｒ４は、炭素数１２以上１４以下のアルキル基である。）  
【請求項２】
上記化合物Ａ及び上記化合物Ｂ以外の界面活性剤を含有しない請求項１に記載の鉱物油洗浄用組成物。
【請求項３】
アルカリ金属の水酸化物又はアルカリ金属の炭酸塩をさらに含有する請求項１又は請求項２に記載の鉱物油洗浄用組成物。
【請求項４】
塩酸、硫酸、クエン酸、酢酸、ギ酸及びシュウ酸からなる群より選択される少なくとも１つをさらに含有する請求項１、請求項２又は請求項３に記載の鉱物油洗浄用組成物。
【請求項５】
上記化合物Ａがドデシルジメチルアミンオキシドであり、上記化合物Ｂがドデシル硫酸ナトリウムである請求項１から請求項４のいずれか１項に記載の鉱物油洗浄用組成物。
【請求項６】
請求項１から請求項５のいずれか１項に記載の鉱物油洗浄用組成物を鉱物油被付着物に接触させる接触工程を備える鉱物油被付着物の洗浄方法。
【請求項７】
上記鉱物油被付着物が、濾過分離膜、鉱物油移送配管及び鉱物油貯蔵タンクからなる群より選択される少なくとも１つである請求項６に記載の鉱物油被付着物の洗浄方法。
【発明の詳細な説明】
【技術分野】
【０００１】
本発明は、鉱物油洗浄用組成物及びそれを用いた鉱物油被付着物の洗浄方法に関する。
【背景技術】
【０００２】
油を濾過した濾過分離膜、油が通過した配管又は油が貯蔵されたタンク等は、油が固化することにより目詰まりを起こしやすいため、使用後、油を洗浄剤で洗浄して除去する必要がある。このような油性汚れを洗浄可能な洗浄剤組成物として、アルキルアミンオキシドと、無機アルカリ剤と、有機溶媒とを所定量含有する油性汚れ取り用洗浄剤組成物が開示されている（特許第４９４４３４２号公報参照）。
【先行技術文献】
【特許文献】
【０００３】
【特許文献１】特許第４９４４３４２号公報
【発明の概要】
【発明が解決しようとする課題】
【０００４】
しかしながら、上記洗浄剤組成物では、炭素数が多い高分子量の油、とりわけ鉱物油に対して洗浄力が十分とまでは言えない。鉱物油は炭素数が多い高分子量の炭化水素化合物を含むため、これを除去することが難しい場合がある。【０００５】
本発明は、上述のような事情に基づいてなされたものであり、鉱物油に対しても極めて洗浄力が高い鉱物油洗浄用組成物及び鉱物油被付着物の洗浄方法の提供を目的とする。
【課題を解決するための手段】
【０００６】
上記課題を解決するためになされた本発明の一態様に係る鉱物油洗浄用組成物は、界面活性剤としての下記式（１）で表される化合物Ａ及び下記式（２）で表される化合物Ｂ、並びに水を含有し、上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．３５以上０．８５以下であり、ｐＨが８．０超である。【０００７】
【化１】
2017047170.tif 000003
（式（１）中、Ｒ１は、炭素数１２以上１４以下のアルキル基である。Ｒ２及びＲ３は、それぞれ独立して、水素原子又は炭素数１以上３以下のアルキル基である。窒素原子と酸素原子との間の矢印は配位結合を示す。）【０００８】
【化２】
2017047170.tif 000004
（式（２）中、Ｒ４は、炭素数１２以上１４以下のアルキル基である。）【０００９】
また、上記課題を解決するためになされた本発明の別の一態様に係る鉱物油被付着物の洗浄方法は、上述の鉱物油洗浄用組成物を鉱物油被付着物に接触させる接触工程を備える。なお、「鉱物油」とは、石油、天然ガス、石炭など地下資源に由来する炭化水素化合物を含む油を意味する。
【発明の効果】
【００１０】
本発明の一態様に係る鉱物油洗浄用組成物は、炭素数が多い高分子量の炭化水素化合物を含有する油、とりわけ鉱物油に対しても洗浄力が極めて高い。また、本発明の別の一態様に係る鉱物油被付着物の洗浄方法は、鉱物油を鉱物油被付着物から容易に除去することができる。
【図面の簡単な説明】
【００１１】
【図１】図１は、実施例で用いた装置の模式図である。
【発明を実施するための形態】
【００１２】
［本発明の実施形態の説明］
本発明の一態様に係る鉱物油洗浄用組成物は、界面活性剤としての下記式（１）で表される化合物Ａ及び下記式（２）で表される化合物Ｂ、並びに水を含有し、上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．３５以上０．８５以下でありｐＨが８．０超である。
【００１３】
【化３】
2017047170.tif 000005
（式（１）中、Ｒ１は、炭素数１２以上１４以下のアルキル基である。Ｒ２及びＲ３は、それぞれ独立して、水素原子又は炭素数１以上３以下のアルキル基である。窒素原子と酸素原子との間の矢印は配位結合を示す。）
【００１４】
【化４】
2017047170.tif 000006
（式（２）中、Ｒ４は、炭素数１２以上１４以下のアルキル基である。）
【００１５】
当該鉱物油洗浄用組成物は、界面活性剤として化合物Ａ及び化合物Ｂを含有することで、鉱物油に対する洗浄力を向上させることができる。当該鉱物油洗浄用組成物が界面活性剤として化合物Ａ及び化合物Ｂを含有することで鉱物油に対する洗浄力が高くなる理由については必ずしも明確ではないが、例えば化合物Ａと化合物Ｂとの相互作用によりミセル構造が形成され、鉱物油がこのミセル構造に取り込まれるためであると推察される。
【００１６】
上記化合物Ａ及び上記化合物Ｂ以外の界面活性剤を含有しないほうが好ましい。化合物Ａ及び化合物Ｂ以外の他の界面活性剤は化合物Ａ及び化合物Ｂに作用して化合物Ａ及び化合物Ｂの洗浄効果を抑制する可能性があるが、上記のように、当該鉱物油洗浄用組成物が化合物Ａ及び化合物Ｂ以外の界面活性剤を含有しないことで、上記洗浄効果が抑制されない。
【００１７】
アルカリ金属の水酸化物又はアルカリ金属の炭酸塩をさらに含有するとよい。アルカリ金属の水酸化物又はアルカリ金属の炭酸塩を用いることで、当該鉱物油洗浄用組成物のｐＨを容易に調節することができる。
【００１８】
塩酸、硫酸、クエン酸、酢酸、ギ酸及びシュウ酸からなる群より選択される少なくとも１つをさらに含有するとよい。塩酸、硫酸、クエン酸、酢酸、ギ酸及びシュウ酸からなる群より選択される少なくとも１つを用いることで、当該鉱物油洗浄用組成物のｐＨを容易に調節することができる。
【００１９】
上記化合物Ａがドデシルジメチルアミンオキシドであり、上記化合物Ｂがドデシル硫酸ナトリウムであるとよい。このように化合物Ａとしてドデシルジメチルアミンオキシドを用い、化合物Ｂとしてドデシル硫酸ナトリウムを用いることで、当該鉱物油洗浄用組成物の洗浄力がさらに向上する。
【００２０】
本発明の別の一態様に係る鉱物油被付着物の洗浄方法は、上述の鉱物油洗浄用組成物を鉱物油被付着物に接触させる接触工程を備える。
【００２１】
当該鉱物油被付着物の洗浄方法は、上述の鉱物油洗浄用組成物を用いることで、従来の洗浄剤では除去が困難な鉱物油であっても容易に除去することができる。
【００２２】
上記鉱物油被付着物が、濾過分離膜、鉱物油移送配管及び鉱物油貯蔵タンクからなる群より選択される少なくとも１つであるとよい。当該鉱物油被付着物の洗浄方法は、濾過分離膜、鉱物油移送配管又は鉱物油貯蔵タンクに対しても洗浄効果が高いため、濾過分離膜、鉱物油移送配管又は鉱物油貯蔵タンク及びこれらの組み合わせを良好に洗浄することができる。
【００２３】
［本発明の実施形態の詳細］
以下、本発明の各実施形態について詳説する。
【００２４】
＜第一実施形態＞
［鉱物油洗浄用組成物］
本発明の第一実施形態に係る鉱物油洗浄用組成物（以下、「第一鉱物油洗浄用組成物」ともいう。）は、界面活性剤としての化合物Ａ及び化合物Ｂ、並びに水を含有し、上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．３５以上０．８５以下であり、ｐＨが８．０超である。
【００２５】
当該第一鉱物油洗浄用組成物は、界面活性剤として化合物Ａ及び化合物Ｂを含有することで、化合物Ａと化合物Ｂとが相互作用し、これにより形成されたミセル構造に鉱物油が取り込まれるため、鉱物油に対する洗浄力に優れる。
【００２６】
（化合物Ａ）
化合物Ａは、上述のように、下記式（１）により表される化合物である。
【００２７】
【化５】
2017047170.tif 000007
【００２８】
上記式（１）中、Ｒ１は、炭素数１２以上１４以下のアルキル基である。Ｒ２及びＲ３は、それぞれ独立して、水素原子又は炭素数１以上３以下のアルキル基である。窒素原子と酸素原子との間の矢印は配位結合を示す。
【００２９】
上記Ｒ１で表される炭素数１２以上１４以下のアルキル基は、直鎖状であってもよいし、分岐状であってもよい。炭素数１２のアルキル基としては、直鎖状のものとして、ドデシル基が挙げられ、分岐状のものとして、メチルウンデシル基；ジメチルデシル基、エチルデシル基；エチルメチルノニル基、プロピルノニル基等が挙げられる。また、炭素数１３のアルキル基としては、直鎖状のものとして、トリデシル基が挙げられ、分岐状のものとして、メチルドデシル基；ジメチルウンデシル基、エチルウンデシル基；エチルメチルデシル基等が挙げられる。さらに、炭素数１４のアルキル基としては、直鎖状のものとして、テトラデシル基が挙げられ、分岐状のものとして、メチルトリデシル基；ジメチルドデシル基、エチルドデシル基；エチルメチルウンデシル基等が挙げられる。これらの中で、ドデシル基及びテトラデシル基が好ましく、ドデシル基がより好ましい。Ｒ１で表されるアルキル基としてドデシル基を選択することで、化合物Ａ及び化合物Ｂによりミセル構造が形成されやすくなり、当該第一鉱物油洗浄用組成物の洗浄力が向上する。
【００３０】
Ｒ２、Ｒ３で表される炭素数１以上３以下のアルキル基の具体例としては、メチル基、エチル基、プロパニル基、イソプロパニル基等が挙げられる。これらの中で、メチル基がより好ましい。Ｒ２、Ｒ３で表されるアルキル基としてメチル基を選択することで、化合物Ａ及び化合物Ｂによりミセル構造が形成されやすくなり、鉱物油に対する洗浄力が向上する。
【００３１】
窒素原子と酸素原子との間の矢印は配位結合を示す。化合物Ａが配位結合を有することで、化合物Ａは極性を有する。そのため、極性を有する化合物Ａと化合物Ｂとによりミセル構造が形成されやすくなり、当該第一鉱物油洗浄用組成物の洗浄力が極めて高くなる。
【００３２】
化合物Ａの好ましい具体例としては、ドデシルジメチルアミンオキシド、トリデシルジメチルアミンオキシド、及びテトラデシルジメチルアミンオキシドが挙げられる。これらの中で、ドデシルジメチルアミンオキシド及びテトラデシルジメチルアミンオキシドがより好ましく、ドデシルジメチルアミンオキシドがさらに好ましい。ドデシルジメチルアミンオキシドは、化合物Ｂの好ましい具体例として例示したドデシル硫酸ナトリウム、トリデシル硫酸ナトリウム及びテトラデシル硫酸ナトリウムとの相性がよく、これらを界面活性剤として選択した場合、当該第一鉱物油洗浄用組成物の洗浄力は極めて高くなる。
【００３３】
（化合物Ｂ）
化合物Ｂは、上述のように、下記式（２）により表される化合物である。
【００３４】
【化６】
2017047170.tif 000008
【００３５】
上記式（２）中、Ｒ４は、炭素数１２以上１４以下のアルキル基である。
【００３６】
Ｒ４により表されるアルキル基は、Ｒ１により表されるアルキル基と同様、直鎖状であってもよいし、分岐状であってもよい。Ｒ４で表されるアルキル基としては、Ｒ１で表されるアルキル基と同様のものが挙げられる。これらの中で、ドデシル基及びテトラデシル基が好ましく、ドデシル基がより好ましい。Ｒ４で表されるアルキル基として、ドデシル基を選択することで、化合物Ａ及び化合物Ｂによりミセル構造が形成されやすくなり、当該第一鉱物油洗浄用組成物の洗浄力が向上する。
【００３７】
化合物Ｂの好ましい具体例としては、ドデシル硫酸ナトリウム、トリデシル硫酸ナトリウム、及びテトラデシル硫酸ナトリウムが挙げられる。これらの中で、ドデシル硫酸ナトリウム及びテトラデシル硫酸ナトリウムがより好ましく、ドデシル硫酸ナトリウムがさらに好ましい。ドデシル硫酸ナトリウムは、化合物Ａの好ましい具体例として例示したドデシルジメチルアミンオキシド、トリデシルジメチルアミンオキシド、及びテトラデシルジメチルアミンオキシドとの相性がよく、これらを界面活性剤として選択した場合、当該第一鉱物油洗浄用組成物の洗浄力は極めて高くなる。
【００３８】
当該第一鉱物油洗浄用組成物は、化合物Ａ及び化合物Ｂ以外の界面活性剤を含有しないとよい。界面活性剤として、化合物Ａ及び化合物Ｂ以外の他の化合物を含む場合、この他の化合物が化合物Ａ及び化合物Ｂに作用し化合物Ａ及び化合物Ｂによる洗浄効果を抑制する可能性がある。しかしながら、当該第一鉱物油洗浄用組成物中に化合物Ａ及び化合物Ｂ以外の界面活性剤を含有しないことで、化合物Ａ及び化合物Ｂ以外の他の界面活性剤が化合物Ａ及び化合物Ｂによる洗浄作用に影響を及ぼすことがなく、当該第一鉱物油洗浄用組成物の洗浄力が低下しない。
【００３９】
（溶媒）
当該第一鉱物油洗浄用組成物は溶媒として水を含有する。当該第一鉱物油洗浄用組成物は、溶媒として水以外の有機溶媒等を含んでいてもよいが、溶媒として水のみを含有することが好ましい。当該第一鉱物油洗浄用組成物が溶媒として水のみを含有することで、環境に対する影響が大きい有機溶媒を使用する必要が無くなり、当該第一鉱物油洗浄用組成物の取り扱いが容易となる。
【００４０】
（ｐＨ調整剤）
当該第一鉱物油洗浄用組成物のｐＨを上げたい場合には、ｐＨ調整剤として、アルカリ金属の水酸化物又はアルカリ金属の炭酸塩を当該第一鉱物油洗浄用組成物に含有させるとよい。この場合、ｐＨ調整剤として、アルカリ金属の水酸化物及びアルカリ金属の炭酸塩の両方を含有させてもよい。アルカリ金属の水酸化物、アルカリ金属の炭酸塩及びそれらの両方を用いることにより、当該第一鉱物油洗浄用組成物のｐＨの値を容易に調整することができる。アルカリ金属の水酸化物としては、水酸化ナトリウム、水酸化カリウム等が挙げられる。これらの中で、取り扱いが容易であるため、水酸化ナトリウムが好ましい。
また、アルカリ金属の炭酸塩としては、炭酸ナトリウム、炭酸カリウム等が挙げられる。
これらの中で、取り扱いが容易であるため、炭酸ナトリウムが好ましい。
【００４１】
また、当該第一鉱物油洗浄用組成物のｐＨを下げたい場合には、ｐＨ調整剤として、塩酸、硫酸、クエン酸、酢酸、ギ酸又はシュウ酸を当該第一鉱物油洗浄用組成物に含有させるとよい。この場合、ｐＨ調整剤として、塩酸、硫酸、クエン酸、酢酸、ギ酸及びシュウ酸の任意の組み合わせを含有させてもよい。
【００４２】
（その他の成分）
当該第一鉱物油洗浄用組成物は、上記以外の成分を含んでいてもよい。このような成分として、例えば防腐剤、希釈溶剤、安定化溶媒、研磨剤、色素、香料等が挙げられる。
【００４３】
（化合物Ａの含有量と化合物Ｂの含有量の割合）
当該第一鉱物油洗浄用組成物は、化合物Ａの含有量をＳ１、化合物Ｂの含有量をＳ２とした場合に、化合物Ａの含有量Ｓ１及び化合物Ｂの含有量Ｓ２の合計に対する化合物Ａの含有量Ｓ１の比率、すなわち、Ｓ１／（Ｓ１＋Ｓ２）が所定範囲であるため、鉱物油に対する洗浄力に優れる。
【００４４】
上記比率は０．３５以上０．８５以下である。上記比率の下限としては、０．４０がより好ましく、０．４５がさらに好ましい。一方、上記比率の上限としては、０．６５がより好ましく、０．５５がさらに好ましい。上記比率が上記下限を下回る場合、鉱物油に対する洗浄力が弱くなる。また、上記比率が上記上限を上回る場合も、鉱物油に対する洗浄力が弱くなる。つまり、上記比率を上記範囲とすることでミセル構造を形成しやすくなり鉱物油に対する洗浄力が向上すると考えられる。
【００４５】
当該第一鉱物油洗浄用組成物に含まれる化合物Ａと化合物Ｂの合計濃度の下限としては、０．０５質量％が好ましく、０．１０質量％がより好ましく、０．２０質量％がさらに好ましい。一方、上記化合物Ａと化合物Ｂの合計濃度の上限としては、４．０質量％が好ましく、２．０質量％がより好ましく、１．２質量％がさらに好ましい。ここで、当該第一鉱物油洗浄用組成物に含まれる化合物Ａと化合物Ｂの合計濃度とは、化合物Ａと化合物Ｂの合計質量を当該第一鉱物油洗浄用組成物の質量で除して１００をかけたものである。
上記化合物Ａの含有量と化合物Ｂの含有量の割合および化合物Ａと化合物Ｂの合計濃度をそれぞれ上記下限以上とすることで、当該第一鉱物油洗浄用組成物の洗浄効果を容易に発揮させることができる。また、上記化合物Ａの含有量と化合物Ｂの含有量の割合および化合物Ａと化合物Ｂの合計濃度をそれぞれ上記上限以下とすることで、当該第一鉱物油洗浄用組成物の取り扱い性を向上できる。
【００４６】
（鉱物油洗浄用組成物のｐＨ）
当該第一鉱物油洗浄用組成物のｐＨは８．０超である。濾過分離膜、鉱物油移送配管、鉱物油貯蔵タンク等の鉱物油被付着物が劣化、変形、破壊等しない程度のｐＨを適宜設定することが好ましい。鉱物油被付着物のｐＨ耐久性が高ければ、上記ｐＨの下限としては、１０．０がより好ましく、１２．５がさらに好ましい。一方、上記ｐＨの上限としては、特に限定されず、高ければ高いほど好ましいが、１４．０である。上記ｐＨを上記範囲とすることでミセル構造が形成されやすくなり当該第一鉱物油洗浄用組成物の洗浄力が向上する。
【００４７】
［鉱物油洗浄用組成物の製造方法］
当該第一鉱物油洗浄用組成物は、化合物Ａ、化合物Ｂ、ｐＨ調整剤及び溶媒を攪拌する工程を備える製造方法により得ることができる。
【００４８】
攪拌工程では、化合物Ａ、化合物Ｂ、ｐＨ調整剤及び溶媒を混合用の容器に投入した後、所定時間これらを混合攪拌し、当該第一鉱物油洗浄用組成物を調製する。混合攪拌時間としては、混合物が良好に混合される限り特に限定されないが、混合攪拌時間の下限としては、１０分が好ましく、２０分がより好ましく、３０分がさらに好ましい。一方、上記混合攪拌時間の上限としては、９０分が好ましく、８０分がより好ましく、７０分がさらに好ましい。上記混合攪拌時間を上記範囲とすることで上記混合物を良好に攪拌し混合することができる。
【００４９】
攪拌工程における溶媒の温度の下限としては、４５℃が好ましく、５０℃がより好ましく、５５℃がさらに好ましい。一方、上記温度の上限としては、８０℃が好ましく、７５℃がより好ましく、７０℃がさらに好ましい。溶媒の温度を上記範囲とすることで、当該第一鉱物油洗浄用組成物の混合を良好に行うことができる。
【００５０】
［鉱物油被付着物の洗浄方法］
当該鉱物油被付着物の洗浄方法は、上記鉱物油洗浄用組成物を鉱物油被付着物に接触させる接触工程を備える。
【００５１】
当該鉱物油被付着物の洗浄方法は、鉱物油に対して極めて高い洗浄力を有する鉱物油洗浄用組成物を使用するため、洗浄が難しい鉱物油を良好に除去することができる。
【００５２】
鉱物油被付着物としては、鉱物油が付着したものであれば特に限定されないが、鉱物油を濾過するための濾過分離膜、鉱物油を移送するための鉱物油移送配管、又は鉱物油を貯蔵するための鉱物油貯蔵タンク等が挙げられる。鉱物油被付着物としては、上述の濾過分離膜、鉱物油移送配管及び鉱物油貯蔵タンクのうち２以上であってもよい。
【００５３】
洗浄時の当該第一鉱物油洗浄用組成物の温度としては、濾過分離膜、鉱物油移送配管、鉱物油貯蔵タンク等の鉱物油被付着物が劣化、変形、破壊等しない範囲で適宜設定することが好ましい。上記温度の下限としては、２０℃が好ましく、２５℃がより好ましく、３０℃がさらに好ましい。また、上記温度の上限としては、特に限定されず、高ければ高いほど好ましいが、鉱物油被付着物の温度耐久性が高ければ、６０℃が好ましく、５５℃がより好ましく、５０℃がさらに好ましい。当該第一鉱物油洗浄用組成物の温度を上記範囲とすることで、化合物Ａ及び化合物Ｂを含むミセル構造が鉱物油を取り込みやすくなり当該第一鉱物油洗浄用組成物の洗浄力が向上すると考えられる。
【００５４】
＜第二実施形態＞
本発明の第二実施形態に係る鉱物油洗浄用組成物（以下、「第二鉱物油洗浄用組成物」ともいう。）は、界面活性剤としての下記式（１）で表される化合物Ａ及び下記式（２）で表される化合物Ｂ、並びに水を含有し、上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．０８以上０．３５未満であり、ｐＨが６．０以上９．０以下である。
【００５５】
【化７】
2017047170.tif 000009
（式（１）中、Ｒ１は、炭素数１２以上１４以下のアルキル基である。Ｒ２及びＲ３は、それぞれ独立して、水素原子又は炭素数１以上３以下のアルキル基である。窒素原子と酸素原子との間の矢印は配位結合を示す。）
【００５６】
【化８】
2017047170.tif 000010
（式（２）中、Ｒ４は、炭素数１２以上１４以下のアルキル基である。）
【００５７】
第二実施形態においては、上記構成以外の構成は第一実施形態と同様であるため説明を省略する。
【００５８】
当該第二鉱物油洗浄用組成物は、界面活性剤として化合物Ａ及び化合物Ｂを含有することで鉱物油に対する洗浄力に優れる。また、上記比率（Ｓ１／（Ｓ１＋Ｓ２））を０．０８以上０．３５未満、ｐＨを６．０以上９．０以下とすることでも鉱物油に対する洗浄力を発揮することができる。
【００５９】
＜第三実施形態＞
本発明の第三実施形態に係る鉱物油洗浄用組成物（以下、「第三鉱物油洗浄用組成物」ともいう。）は、界面活性剤としての下記式（１）で表される化合物Ａ及び下記式（２）で表される化合物Ｂ、並びに水を含有し、上記化合物Ａの含有量Ｓ１及び上記化合物Ｂの含有量Ｓ２の合計に対する上記化合物Ａの含有量Ｓ１の比率（Ｓ１／（Ｓ１＋Ｓ２））が０．０８以上０．９２以下であり、ｐＨが６．０以上９．０以下である。
【００６０】
【化９】
2017047170.tif 000011
（式（１）中、Ｒ１は、炭素数１０のアルキル基である。Ｒ２及びＲ３は、それぞれ独立して、水素原子又は炭素数１以上３以下のアルキル基である。窒素原子と酸素原子との間の矢印は配位結合を示す。）
【００６１】
【化１０】
2017047170.tif 000012
（式（２）中、Ｒ４は、炭素数１２のアルキル基である。）
【００６２】
第三実施形態においては、上記構成以外の構成は第一実施形態と同様であるため説明を省略する。
【００６３】
当該第三鉱物油洗浄用組成物は、界面活性剤として化合物Ａ及び化合物Ｂを含有することで鉱物油に対する洗浄力に優れる。また、上記比率（Ｓ１／（Ｓ１＋Ｓ２））を０．０８以上０．９２以下、ｐＨを６．０以上９．０以下、Ｒ１の炭素数を１０とすることでも鉱物油に対する洗浄力を向上させることができる。
【００６４】
［その他の実施形態］
今回開示された実施の形態は例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【実施例】
【００６５】
以下、実施例によって本発明をさらに具体的に説明するが、本発明は以下の実施例に限定されるものではない。【００６６】
［実施例１］
（鉱物油洗浄用組成物の調製）
化合物Ａとしてドデシルジメチルアミンオキシド、化合物Ｂとしてドデシル硫酸ナトリウム、溶媒として純水（水温６０℃）、ｐＨ調整剤として塩酸を準備した。これらをビーカーに入れマグネティックスターラーで１時間攪拌し、鉱物油洗浄用組成物２Ｌ（リットル）を調製した。ドデシルジメチルアミンオキシドの濃度は０．５０質量％であり、ドデシル硫酸ナトリウムの濃度は０．５０質量％であった。従って、ドデシルジメチルアミンオキシドの含有量Ｓ１及びドデシル硫酸ナトリウムの含有量Ｓ２の合計に対するドデシルジメチルアミンオキシドの含有量Ｓ１の比率（Ｓ１／（Ｓ１＋Ｓ２））は０．５０であった。また、鉱物油洗浄用組成物のｐＨは８．２であった。【００６７】
［実施例２］
鉱物油洗浄用組成物のｐＨを９．５、ｐＨ調整剤を水酸化ナトリウムとした以外は実施例１と同様にして鉱物油洗浄用組成物を調製した。【００６８】
［実施例３］
鉱物油洗浄用組成物のｐＨを１３．０とした以外は実施例２と同様にして鉱物油洗浄用組成物を調製した。【００６９】
［実施例４］
ドデシルジメチルアミンオキシドの濃度を０．４０質量％とし、ドデシル硫酸ナトリウムの濃度を０．６０質量％とした以外は実施例２と同様にして鉱物油洗浄用組成物を調製した。ここでは、比率（Ｓ１／（Ｓ１＋Ｓ２））は、０．４０であった。【００７０】
［実施例５］
ドデシルジメチルアミンオキシドの濃度を０．８０質量％とし、ドデシル硫酸ナトリウムの濃度を０．２０質量％とした以外は実施例２と同様にして鉱物油洗浄用組成物を調製した。ここでは、比率（Ｓ１／（Ｓ１＋Ｓ２））は、０．８０であった。【００７１】
［実施例６］
化合物Ｂとしてテトラデシル硫酸ナトリウムを使用した以外は実施例２と同様にして鉱物油洗浄用組成物を調製した。【００７２】
［実施例７］
化合物Ａとしてテトラデシルジメチルアミンオキシドを使用した以外は実施例２と同様にして鉱物油洗浄用組成物を調製した。【００７３】
［実施例８］
化合物Ａとしてテトラデシルジメチルアミンオキシドを使用し、化合物Ｂとしてテトラデシル硫酸ナトリウムを使用した以外は実施例２と同様にして鉱物油洗浄用組成物を調製した。【００７４】
［比較例１］
鉱物油洗浄用組成物のｐＨを７．０とした以外は実施例１と同様にして鉱物油洗浄用組成物を調製した。【００７５】
［比較例２］
ドデシルジメチルアミンオキシドの濃度を０．３０質量％とし、ドデシル硫酸ナトリウムの濃度を０．７０質量％とした以外は実施例２と同様にして鉱物油洗浄用組成物を調製した。ここでは、比率（Ｓ１／（Ｓ１＋Ｓ２））は、０．３０であった。【００７６】
［比較例３］
ドデシルジメチルアミンオキシドの濃度を０．９０質量％とし、ドデシル硫酸ナトリウムの濃度を０．１０質量％とした以外は実施例２と同様にして鉱物油洗浄用組成物を調製した。ここでは、比率（Ｓ１／（Ｓ１＋Ｓ２））は、０．９０であった。【００７７】
［比較例４］
化合物Ｂとしてデシル硫酸ナトリウムを使用した以外は実施例２と同様にして鉱物油洗浄用組成物を調製した。【００７８】
［比較例５］
化合物Ａとしてテトラデシルジメチルアミンオキシドを使用し、化合物Ｂとしてデシル硫酸ナトリウムを使用した以外は実施例２と同様にして鉱物油洗浄用組成物を調製した。【００７９】
［比較例６］
化合物Ａとしてデシルジメチルアミンオキシドを使用した以外は実施例２と同様にして鉱物油洗浄用組成物を調製した。【００８０】
［比較例７］
化合物Ａとしてヘキサデシルジメチルアミンオキシドを使用した以外は実施例２と同様にして鉱物油洗浄用組成物を調製した。【００８１】
［比較例８］
化合物Ａとしてデシルジメチルアミンオキシドを使用し、化合物Ｂとしてテトラデシル硫酸ナトリウムを使用した以外は実施例２と同様にして鉱物油洗浄用組成物を調製した。【００８２】
［比較例９］
化合物Ａとしてヘキサデシルジメチルアミンオキシドを使用し、化合物Ｂとしてテトラデシル硫酸ナトリウムを使用した以外は実施例２と同様にして鉱物油洗浄用組成物を調製した。【００８３】
［比較例１０］
化合物Ａとしてデシルジメチルアミンオキシドを使用し、化合物Ｂとしてヘキサデシル硫酸ナトリウムを使用した以外は実施例２と同様にして鉱物油洗浄用組成物を調製した。【００８４】
［比較例１１］
化合物Ｂとしてヘキサデシル硫酸ナトリウムを使用した以外は実施例２と同様にして鉱物油洗浄用組成物を調製した。【００８５】
［比較例１２］
化合物Ａとしてテトラデシルジメチルアミンオキシドを使用し、化合物Ｂとしてヘキサデシル硫酸ナトリウムを使用した以外は実施例２と同様にして鉱物油洗浄用組成物を調製した。【００８６】
［比較例１３］
ｐＨを６．５とし、ドデシルジメチルアミンオキシドの濃度を０．０５質量％とし、ドデシル硫酸ナトリウムの濃度を０．９５質量％とした以外は実施例１と同様にして鉱物油洗浄用組成物を調製した。ここでは、比率（Ｓ１／（Ｓ１＋Ｓ２））は、０．０５であった。【００８７】
［比較例１４］
ドデシルジメチルアミンオキシドの濃度を０．４０質量％とし、ドデシル硫酸ナトリウムの濃度を０．６０質量％とした以外は比較例１３と同様にして鉱物油洗浄用組成物を調製した。ここでは、比率（Ｓ１／（Ｓ１＋Ｓ２））は、０．４０であった。【００８８】
［比較例１５］
鉱物油洗浄用組成物のｐＨを７．０とした以外は比較例１３と同様にして鉱物油洗浄用組成物を調製した。ここでは、比率（Ｓ１／（Ｓ１＋Ｓ２））は、０．０５であった。【００８９】
［比較例１６］
ドデシルジメチルアミンオキシドの濃度を０．４０質量％とし、ドデシル硫酸ナトリウムの濃度を０．６０質量％とした以外は比較例１５と同様にして鉱物油洗浄用組成物を調製した。ここでは、比率（Ｓ１／（Ｓ１＋Ｓ２））は、０．４０であった。【００９０】
［比較例１７］
鉱物油洗浄用組成物のｐＨを８．５とした以外は比較例１３と同様にして鉱物油洗浄用組成物を調製した。ここでは、比率（Ｓ１／（Ｓ１＋Ｓ２））は、０．０５であった。【００９１】
［比較例１８］
ドデシルジメチルアミンオキシドの濃度を０．１５質量％とし、ドデシル硫酸ナトリウムの濃度を０．８５質量％とした以外は比較例３と同様にして鉱物油洗浄用組成物を調製した。ここでは、比率（Ｓ１／（Ｓ１＋Ｓ２））は、０．１５であった。【００９２】
（鉱物油による膜の汚染）
図１に示すように、ポリテトラフルオロエチレン（以下、「ＰＴＦＥ」ともいう。）製の中空糸膜モジュール１を用いて、濃度５０ｍｇ／ＬのＣ重油エマルジョン液を２００ｋＰａの濾過圧力で５Ｌ濾過して、中空糸膜モジュール１の膜表面にＣ重油を付着させた。
なお、「Ｃ重油」とは９０質量％以上が残渣油である重油を意味する。【００９３】
具体的には、Ｃ重油エマルジョン液が注入された容器２の下端と中空糸膜モジュール１の下端とを第１のチューブ３により接続し、この第１のチューブ３にポンプ４及び圧力計５を設けた。さらに、中空糸膜モジュール１の上端に排水用の第２のチューブ６を接続し、第２のチューブ６に開閉可能な第１のコック７を設けた。また、中空糸膜モジュール１の上端付近と容器２の上端とを第３のチューブ８により接続し、第３のチューブ８に開閉可能な第２のコック９を設けた。中空糸膜モジュール１の膜の鉱物油による汚染工程においては、第１のコック７を開き、第２のコック９を閉じた。中空糸膜モジュール１の膜の面積は０．１ｍ２であり、膜公称孔径は０．１μｍであった。【００９４】
（鉱物油洗浄用組成物による膜の洗浄）
図１に示すように、上述のようにして汚染された中空糸膜モジュール１の膜を実施例１〜８及び比較例１〜１８の鉱物油洗浄用組成物により洗浄した。まず、上記鉱物油洗浄用組成物により中空糸膜モジュール１の膜を洗浄するため、容器２に上記鉱物油洗浄用組成物を注入した。また、第１のコック７を閉じ第２のコック９を開いた。上述のようにして汚染された中空糸膜モジュール１の膜の外表面に対して上記鉱物油洗浄用組成物を５時間循環させて、中空糸膜モジュール１の膜を洗浄した。循環流量は、０．２Ｌ／分に設定した。【００９５】
（鉱物油洗浄用組成物による洗浄回復率）
続いて、上記鉱物油洗浄用組成物による洗浄回復率を算出した。Ｃ重油エマルジョン液の濾過を開始する前の膜の純水透水性能Ａと、付着した鉱物油を上記鉱物油洗浄用組成物で洗浄した後の膜の純水透水性能Ｂとを調べ、洗浄回復率（％）を１００×Ｂ／Ａの数式より算出した。図１に示すように、容器２に純水を注入し、さらに排水用の第２のチューブ６に流量計１０を設けた。純水透水性能を調べる工程においては、第１のコック７を開き第２のコック９を閉じた。Ｃ重油エマルジョン液の濾過を開始する前の中空糸膜モジュール１、及び付着した鉱物油を上記鉱物油洗浄用組成物で洗浄した後の中空糸膜モジュール１のそれぞれに対して、純水を圧力５０ｋＰａ、温度２５℃で通過させた。排水用の第２のチューブ６から排出される液の流量を流量計１０で測定することにより、上記各中空糸膜モジュール１の純水透水性能を調べた。【００９６】
（鉱物油洗浄用組成物の洗浄結果）
表１に、鉱物油洗浄用組成物のｐＨ、化合物Ａ及び化合物Ｂの種類及び濃度（質量％）、比率（Ｓ１／（Ｓ１＋Ｓ２））、洗浄回復率（％）並びに洗浄効果を示す。ここで、表１において、化合物Ａの種類の欄には、化合物Ａを特定する物質記号と化合物Ａに含まれる各官能基Ｒ１、Ｒ２、Ｒ３の炭素数を記載し、化合物Ｂの種類の欄には、化合物Ｂを特定する物質記号と化合物Ｂに含まれる官能基Ｒ４の炭素数を記載している。化合物Ａの物質記号の欄に記載されたＡ−１はデシルジメチルアミンオキシド、Ａ−２はドデシルジメチルアミンオキシド、Ａ−３はテトラデシルジメチルアミンオキシド、Ａ−４はヘキサデシルアミンオキシドを意味する。また、化合物Ｂの物質記号の欄に記載されたＢ−１はデシル硫酸ナトリウム、Ｂ−２はドデシル硫酸ナトリウム、Ｂ−３はテトラデシル硫酸ナトリウム、Ｂ−４はヘキサデシル硫酸ナトリウムを意味する。また、表１において洗浄効果が非常に高かったものをＡ、洗浄効果が高かったものをＢ、洗浄効果が低かったものをＣ、洗浄効果が非常に低かったものをＤとした。【００９７】
【表１】
2017047170.tif 000013
【００９８】
【表２】
2017047170.tif 000014
【００９９】
［鉱物油洗浄用組成物の洗浄評価］
（ｐＨの相違による洗浄効果の差異）
実施例１、実施例２、実施例３及び比較例１においては、化合物ＡがＡ−２（Ｒ１の炭素数１２、Ｒ２の炭素数１、Ｒ３の炭素数１）、化合物Ａの濃度が０．５０質量％、化合物ＢがＢ−２（Ｒ４の炭素数１２）、化合物Ｂの濃度が０．５０質量％、比率（Ｓ１／（Ｓ１＋Ｓ２））が０．５０であり、これらの条件は共通しており、鉱物油洗浄用組成物のｐＨのみ異なる。ｐＨは実施例１において８．２、実施例２において９．５、実施例３において１３．０、比較例１において７．０であった。鉱物油洗浄用組成物のｐＨが８．０を超える実施例１、実施例２及び実施例３においては表１に示すように鉱物油洗浄用組成物の洗浄効果は高かった（評価Ａ、Ｂ）。これに対して、ｐＨが７．０である比較例１においては、洗浄効果は低かった（評価Ｃ）。以上より、鉱物油洗浄用組成物のｐＨを８．０より大きくすれば、鉱物油洗浄用組成物の洗浄効果を高くすることができることが分かった。【０１００】
（炭素数の相違による洗浄効果の差異）
実施例２、実施例７、比較例６及び比較例７においては、ｐＨが９．５、化合物Ａの濃度が０．５０質量％、化合物ＢがＢ−２（Ｒ４の炭素数１２）、化合物Ｂの濃度が０．５０質量％、比率（Ｓ１／（Ｓ１＋Ｓ２））が０．５０であり、これらの条件は共通しており、化合物Ａの種類のみ異なる。実施例２において化合物ＡはＡ−２（Ｒ１の炭素数１２、Ｒ２の炭素数１、Ｒ３の炭素数１）であり、実施例７において化合物ＡはＡ−３（Ｒ１の炭素数１４、Ｒ２の炭素数１、Ｒ３の炭素数１）であり、比較例６においてはＡ−１（Ｒ１の炭素数１０、Ｒ２の炭素数１、Ｒ３の炭素数１）であり、比較例７においてはＡ−４（Ｒ１の炭素数１６、Ｒ２の炭素数１、Ｒ３の炭素数１）であった。化合物ＡがＡ−２である実施例２及び化合物ＡがＡ−３である実施例７においては、表１に示すように鉱物油洗浄用組成物の洗浄効果は高かった（評価Ｂ）。これに対して、化合物ＡがＡ−１である比較例６及び化合物ＡがＡ−４である比較例７においては、鉱物油洗浄用組成物の洗浄効果は非常に低かった（評価Ｄ）。【０１０１】
実施例６、実施例８、比較例８、及び比較例９においては、ｐＨが９．５、化合物Ａの濃度が０．５０質量％、化合物ＢがＢ−３（Ｒ４の炭素数１４）、化合物Ｂの濃度が０．５０質量％、比率（Ｓ１／（Ｓ１＋Ｓ２））が０．５０であり、これらの条件は共通しており、上記同様化合物Ａの種類のみ異なる。実施例６において化合物ＡはＡ−２（Ｒ１の炭素数１２、Ｒ２の炭素数１、Ｒ３の炭素数１）であり、実施例８において化合物ＡはＡ−３（Ｒ１の炭素数１４、Ｒ２の炭素数１、Ｒ３の炭素数１）であり、比較例８においてはＡ−１（Ｒ１の炭素数１０、Ｒ２の炭素数１、Ｒ３の炭素数１）であり、比較例９においてはＡ−４（Ｒ１の炭素数１６、Ｒ２の炭素数１、Ｒ３の炭素数１）であった。化合物ＡがＡ−２である実施例６及び化合物ＡがＡ−３である実施例８においては、表１に示すように鉱物油洗浄用組成物の洗浄効果は高かった（評価Ｂ）。これに対して、化合物ＡがＡ−１である比較例８及び化合物ＡがＡ−４である比較例９においては、鉱物油洗浄用組成物の洗浄効果は非常に低かった（評価Ｄ）。【０１０２】
以上より、化合物Ａとして、炭素数１２以上１４以下のＲ１を含む化合物を選択することで、鉱物油洗浄用組成物の洗浄効果を向上させることができることが分かった。【０１０３】
実施例２、実施例６、比較例４及び比較例１１においては、ｐＨが９．５、化合物Ａの種類がＡ−２（Ｒ１の炭素数１２、Ｒ２の炭素数１、Ｒ３の炭素数１）、化合物Ａの濃度が０．５０質量％、化合物Ｂの濃度が０．５０質量％、比率（Ｓ１／（Ｓ１＋Ｓ２））が０．５０であり、これらの条件は共通しており、化合物Ｂの種類のみ異なる。実施例２においては、化合物ＢはＢ−２（Ｒ４の炭素数１２）であり、実施例６においては、化合物ＢはＢ−３（Ｒ４の炭素数１４）であり、比較例４においては、化合物ＢはＢ−１（Ｒ４の炭素数１０）であり、比較例１１においては、化合物ＢはＢ−４（Ｒ４の炭素数１６）であった。化合物ＢがＢ−２である実施例２及び化合物ＢがＢ−３である実施例６においては、表１に示すように鉱物油洗浄用組成物の洗浄効果は高かった（評価Ｂ）。これに対して、化合物ＢがＢ−１である比較例４及び化合物ＢがＢ−４である比較例１１においては、鉱物油洗浄用組成物の洗浄効果は非常に低かった（評価Ｄ）。【０１０４】
実施例７、実施例８、比較例５及び比較例１２においては、ｐＨが９．５、化合物ＡがＡ−３（Ｒ１の炭素数１４、Ｒ２の炭素数１、Ｒ３の炭素数１）、化合物Ａの濃度が０．５０質量％、化合物Ｂの濃度が０．５０質量％、比率（Ｓ１／（Ｓ１＋Ｓ２））が０．５０であり、これらの条件は共通しており、化合物Ｂの種類のみ異なる。実施例７においては、化合物ＢはＢ−２（Ｒ４の炭素数１２）、実施例８においては、化合物ＢはＢ−３（Ｒ４の炭素数１４）、比較例５においては、化合物ＢはＢ−１（Ｒ４の炭素数１０）比較例１２においては、化合物ＢはＢ−４（Ｒ４の炭素数１６）であった。化合物ＢがＢ−２である実施例７及び化合物ＢがＢ−３である実施例８においては、表１に示すように鉱物油洗浄用組成物の洗浄効果は非常に高かった（評価Ｂ）。これに対して、化合物ＢがＢ−１である比較例５及び化合物ＢがＢ−４である比較例１２においては、鉱物油洗浄用組成物の洗浄効果は非常に低かった（評価Ｄ）。【０１０５】
以上より、化合物Ｂとして、炭素数１２以上１４以下のＲ４を含む化合物を選択することで、鉱物油洗浄用組成物の洗浄効果を向上させることができることが分かった。【０１０６】
（化合物Ａと化合物Ｂの配合比の相違による洗浄効果の差異）
実施例２、実施例４、実施例５、比較例２、比較例３及び比較例１８においては、ｐＨが９．５、化合物ＡがＡ−２（Ｒ１の炭素数１２、Ｒ２の炭素数１、Ｒ３の炭素数１）、化合物ＢがＢ−２（Ｒ４の炭素数１２）であり、これらの条件は共通しており、比率（Ｓ１／（Ｓ１＋Ｓ２））が異なる。上記比率は、実施例２においては０．５０、実施例４においては０．４０、実施例５においては０．８０、比較例２においては０．３０、比較例３においては０．９０、比較例１８においては０．１５であった。上記比率が０．５０である実施例２、上記比率が０．４０である実施例４及び０．８０である実施例５においては、鉱物油洗浄用組成物の洗浄効果は高かった（評価Ｂ）。これに対して、上記比率が０．３０である比較例２、上記比率が０．１５である比較例１８においては、鉱物油洗浄用組成物の洗浄効果は非常に低く（評価Ｄ）、上記比率が０．９０である比較例３においては、鉱物油洗浄用組成物の洗浄効果は低かった（評価Ｃ）。【０１０７】
以上より、上記比率を０．３５以上０．８５以下とすれば、鉱物油洗浄用組成物の洗浄効果を向上させることができることが分かった。
【産業上の利用可能性】
【０１０８】
以上のように、本発明の一態様に係る鉱物油洗浄用組成物は鉱物油に対する洗浄力に優れる。したがって、当該鉱物油洗浄用組成物は、鉱物油の洗浄に好適に用いることができる。
【符号の説明】
【０１０９】
１  中空糸膜モジュール
２  容器
３  第１のチューブ
４  ポンプ
５  圧力計
６  第２のチューブ
７  第１のコック
８  第３のチューブ
９  第２のコック
１０  流量計
【図１】
2017047170.tif 000018
【国際調査報告】
2017047170.tif 000019
2017047170.tif 000020
2017047170.tif 000021
2017047170.tif 000022